(57)【要約】【課題】ボルト及びナットを要することなく、溝部を有する支持フレームにＬＥＤホルダを固定することができる乗客コンベアの欄干装置の提供。【解決手段】本発明に係る乗客コンベアの欄干装置は、ＬＥＤホルダ９を溝部８ａを介して支持フレーム８に固定する固定具が、支持フレーム８の溝部８ａに挿入される頭部１３ａと、この頭部１３ａよりも小径の軸部１３ｂとを有する第１ピン１３と、この第１ピン１３の軸部１３ｂに形成した貫通穴１３ｂ１に挿入される第２ピン１４と、第１ピン１３の軸部１３ｂを挟むように配置され、第２ピン１４に巻き付けられる一対の取り付け部１５ａと、これらの取り付け部１５ａに連設され、回動力が付与される操作部１５ｂとを含む固定金具１５とを備えている。固定金具１５の取り付け部１５ａは、ＬＥＤホルダ９を支持フレーム８に固定するに際し、ＬＥＤホルダ９を押圧する突部１５ａ１を有する。【選択図】図５
2015229552.tif 000002
【特許請求の範囲】
【請求項１】
側壁を形成する欄干パネルと、この欄干パネルの上端部に配置され、ステップと同期して移動するハンドレールを案内するハンドレールフレームと、このハンドレールフレームに取り付けられ、溝部を有する支持フレームと、前記欄干パネルを照らす照明と、この照明を保持するホルダと、このホルダを前記溝部を介して前記支持フレームに固定する固定具とを備えた乗客コンベアの欄干装置において、
前記照明はＬＥＤ照明から成り、
前記ホルダは、前記ＬＥＤ照明を保持するＬＥＤホルダから成り、
前記固定具は、
前記支持フレームの前記溝部に挿入される頭部と、この頭部よりも小径の軸部とを有する第１ピンと、
前記第１ピンの前記軸部に形成した貫通穴に挿入される第２ピンと、
前記第１ピンの前記軸部を挟むように配置され、前記第２ピンに巻き付けられる一対の取り付け部と、前記取り付け部に連設され、回動力が付与される操作部とを含む固定金具とを備え、
前記固定金具の前記取り付け部は、前記ＬＥＤホルダを前記支持フレームに固定するに際し、前記ＬＥＤホルダを押圧する突部を有することを特徴とする乗客コンベアの欄干装置。
【請求項２】
請求項１に記載の乗客コンベアの欄干装置において、
前記固定金具の前記操作部は、前記ＬＥＤホルダを前記支持フレームに固定した際に、前記ＬＥＤホルダに当接する当接部と、この当接部を基端として、前記ＬＥＤホルダから離れる方向に延設される折り曲げ端部とを有することを特徴とする乗客コンベアの欄干装置。
【発明の詳細な説明】
【技術分野】
【０００１】
本発明は、欄干パネルを照らす照明を備えたエスカレータや動く歩道等の乗客コンベアの欄干装置に関する。
【背景技術】
【０００２】
乗客コンベア例えばエスカレータは、建屋にトラスが据え付けられ、このトラスに乗客を搬送する複数のステップが無端状に組み込まれ、これらのステップの側方に欄干装置が配置されている。この種の乗客コンベアの欄干装置が特許文献１に開示されている。この従来技術は、ステップと同期して移動する移動手すり、すなわちハンドレールを案内支持する欄干装置を備えている。欄干装置は、欄干パネル、ハンドレールフレーム、ランプすなわち照明、ランプホルダ、及びランプカバー等を含んでいる。
【０００３】
ランプホルダは、欄干パネルの上端に配置され溝部を有する支持フレームにボルトとナットで固定されている。すなわち、支持フレームの側方に形成された溝部にボルトの頭部を挿入し、このボルトと、当該ボルトに螺合するナットとによりランプホルダは支持フレームに固定されるようになっている。前述した欄干装置は、通常、運搬及び搬入の制限から乗客コンベアが据え付けられる現地で組み込まれる。
【先行技術文献】
【特許文献】
【０００４】
【特許文献１】特開昭６２−０５６２９０号公報
【発明の概要】
【発明が解決しようとする課題】
【０００５】
ところで、既設の乗客コンベアの欄干パネルを照らす照明として、昨今、省エネ効果の他、意匠性の向上の観点から、それまでのランプに代えてＬＥＤ照明を備えることが推し進められてきている。ここで、特許文献１に示されるような既設のランプホルダをＬＥＤホルダに交換する際には、前述のボルトとナットとを一旦緩め、ランプホルダをＬＥＤホルダに交換した後、再度ナットを締め付けることが必要になる。しかし、ＬＥＤホルダの取り付けに際しては、ハンドレールフレームの内方に支持フレームが配置されているため、ＬＥＤホルダを締結するナットの位置を確認することが難しく、このためナットの締め付け作業が困難なものとなりやすい。このことから、従来技術では、ランプホルダをＬＥＤホルダに交換する際のＬＥＤホルダ取り付け作業の能率の向上を見込めない問題があった。
【０００６】
本発明は、前述した従来技術における実情からなされたもので、その目的は、ボルト及びナットを要することなく、溝部を有する支持フレームにＬＥＤホルダを固定することができる乗客コンベアの欄干装置を提供することにある。
【課題を解決するための手段】
【０００７】
前記目的を達成するために、本発明に係る乗客コンベアの欄干装置は、側壁を形成する欄干パネルと、この欄干パネルの上端部に配置され、ステップと同期して移動するハンドレールを案内するハンドレールフレームと、このハンドレールフレームに取り付けられ、溝部を有する支持フレームと、前記欄干パネルを照らす照明と、この照明を保持するホルダと、このホルダを前記溝部を介して前記支持フレームに固定する固定具とを備えた乗客コンベアの欄干装置において、前記照明はＬＥＤ照明から成り、前記ホルダは、前記ＬＥＤ照明を保持するＬＥＤホルダから成り、前記固定具は、前記支持フレームの前記溝部に挿入される頭部と、この頭部よりも小径の軸部とを有する第１ピンと、前記第１ピンの前記軸部に形成した貫通穴に挿入される第２ピンと、前記第１ピンの前記軸部を挟むように配置され、前記第２ピンに巻き付けられる一対の取り付け部と、前記取り付け部に連設され、回動力が付与される操作部とを含む固定金具とを備え、前記固定金具の前記取り付け部は、前記ＬＥＤホルダを前記支持フレームに固定するに際し、前記ＬＥＤホルダを押圧する突部を有することを特徴としている。
【発明の効果】
【０００８】
本発明に係る乗客コンベアの欄干装置は、ＬＥＤホルダを支持フレームに固定する固定具が、支持フレームの溝部に装着される第１ピンと、この第１ピンに取り付けられる第２ピンと、この第２ピンに装着され、突部が設けられた取り付け部、及び操作部を有する固定金具とを備え、固定金具の操作部を回動させて突部によってＬＥＤホルダに押圧することにより、ボルト及びナットを要することなく、溝部を有する支持フレームにＬＥＤホルダを固定することができる。これにより本発明は、ランプホルダをＬＥＤホルダに交換する際のＬＥＤホルダの取り付け作業の能率を、従来に比べて向上させることができる。
【図面の簡単な説明】
【０００９】
【図１】本発明に係る欄干装置の一実施形態が設けられる乗客コンベアの一例として挙げたエスカレータの要部側面図である。
【図２】従来技術を適用してＬＥＤホルダを支持フレームに固定した状態を示す本発明の参考図で、図１のＡ−Ａ断面に対応する図である。
【図３】図２のＢ方向から見た図である。
【図４】本発明に係る欄干装置の一実施形態の要部を、図３に対応させて描いた側面図である。
【図５】図４のＣ方向から見た一部を断面して示した平面図である。
【図６】本実施形態に備えられる固定具を示す図で、（ａ）図は側面図、（ｂ）図は平面図である。
【図７】本実施形態に備えられる固定具によってＬＥＤホルダを支持フレームに固定する手順を説明する図である。
【発明を実施するための形態】
【００１０】
以下、本発明に係る乗客コンベアの欄干装置の実施の形態を図面に基づいて説明する。
【００１１】
本発明に係る欄干装置の一実施形態が備えられる乗客コンベアは、例えばエスカレータである。このエスカレータは、図１に示すように、無端状に設けられて走行する複数のステップ１と、これらのステップ１の側方に隙間を開けて立設され、図示しないトラス構造物に取り付けられたデッキベースと、このデッキベースに固定されたスカートガード２、及びステップ１の反対側に突出する形態で配設された内側デッキ３とを備えている。また、スカートガード３を挟んでステップ１の反対側の位置に欄干パネル４が立設されている。
【００１２】
図２は、図１に示すエスカレータに、従来技術を適用してＬＥＤホルダを支持フレームに固定した状態を示す本発明の参考図で、図１のＡ−Ａ断面に対応する図、図３は、図２のＢ方向から見た図である。
【００１３】
図２に示すように、欄干パネル４の上端部にはハンドレールフレーム６が配置され、このハンドレールフレーム６によって、ステップ１と同期して移動するハンドレール５が案内される。ハンドレールフレーム６に、溝部８ａを有する支持フレーム８が取り付けられ、ＬＥＤ照明１２が装着されたＬＥＤホルダ９が、固定具によって支持フレーム８に取り付けられる。ＬＥＤ照明１２を覆う照明カバー７は、一端側が支持フレーム８に保持され、他端側がハンドレールフレーム６に保持される。
【００１４】
図２，３に示すように、ＬＥＤホルダ９を支持フレーム８に固定する固定具は、ボルト１０及びナット１１を含んでいる。すなわち、ボルト１０の頭部が支持フレーム８の溝部８ａに挿入され、このボルト１０と、当該ボルト１０に螺合するナット１１とによって、ＬＥＤ照明１２が装着されたＬＥＤホルダ９が支持フレーム８に固定されるようになっている。
【００１５】
これらの図２，３に示すようにＬＥＤホルダ９の交換に、ボルト１０及びナット１１を含む固定具を適用する場合には、前述したようにＬＥＤホルダ９を取り付ける際のナット１１の位置の確認が難しくなり、ナット１１の締め付け作業が困難なものとなる。
【００１６】
図４は、本発明に係る欄干装置の一実施形態の要部を、図３に対応させて描いた側面図、図５は、図４のＣ方向から見た一部を断面して示した平面図、図６は、本実施形態に備えられる固定具を示す図で、（ａ）図は側面図、（ｂ）図は平面図である。
【００１７】
本発明の欄干装置の一実施形態に備えられる欄干パネル４を照らす照明は、前述したＬＥＤ照明１２であり、照明を保持するホルダは、ＬＥＤ照明１２を保持するＬＥＤホルダ９である。
【００１８】
ＬＥＤホルダ９を溝部８ａを介して支持フレーム８に固定する本実施形態に備えられる固定具は、図４〜６に示すように、支持フレーム８の溝部８ａに挿入される頭部１３ａと、この頭部１３ａよりも小径の軸部１３ｂとを有する第１ピン１３を含んでいる。
【００１９】
また、本実施形態に備えられる固定具は、第１ピン１３の軸部１３ｂに形成した貫通穴１３ｂ１に挿入される第２ピン１４を含んでいる。
【００２０】
さらに、本実施形態に備えられる固定具は、第１ピン１３の軸部１３ｂを挟むように配置され、第２ピン１４に巻き付けられる一対の取り付け部１５ａと、これらの取り付け部１５ａに連設され、回動力が付与される操作部１５ｂとを有する固定金具１５を含んでいる。この固定金具１５の取り付け部１５ａは、ＬＥＤホルダ９を支持フレーム８に固定するに際し、ＬＥＤホルダ９を押圧する突部１５ａ１を有している。
【００２１】
また固定金具１５の操作部１５ｂは、図５に示すように、ＬＥＤホルダ９を支持フレーム８に固定した際に、ＬＥＤホルダ９に当接する当接部１５ｂ１と、この当接部１５ｂ１を基端として、ＬＥＤホルダ９から離れる方向に延設される折り曲げ端部１５ｂ２とを有している。
【００２２】
このように構成した本実施形態にあっては、例えば図示しないランプホルダをＬＥＤホルダ９に交換するに際しては、図２に示したボルト１０及びナツト１１を取り外し、図示しないランプホルダを取り除くことが行われる。
【００２３】
ここで例えば、ホルダ交換作業に先立って、固定具を予め組み立てておく。すなわち、第１ピン１３の軸部１３ｂに形成した貫通穴１３ｂ１に第２ピン１４を挿入し、固定金具１５の一対の取り付け部１５ａを第１ピン１３の軸部１３ｂを挟むように第２ピン１４に装着させておく。
【００２４】
この固定具に備えられる第１ピン１３の頭部１３ａを支持フレーム８の溝部８ａに挿入し、第１ピン１３の軸部１３ｂがＬＥＤホルダ９の長溝９ａ内に入るようにしてＬＥＤホルダ９を第１ピン１３の軸部１３ｂに係着させ、例えば固定金具１５の操作部１５ｂの折り曲げ端部１５ｂ２を把持して、図７の矢印２０で示すように、操作部１５ｂをＬＥＤホルダ９方向に回動させる。この操作部１５ｂの回動に伴って、取り付け部１５ａの突部１５ａ１がＬＥＤホルダ９を押圧し、前述した図５に示す状態となる。すなわちＬＥＤホルダ９を、第１ピン１３の頭部１３ａ及び支持フレーム８と、固定金具１５の取り付け部１５ａの突部１５ａ１とで挟持して、支持フレーム８に固定することができる。
【００２５】
以上のように構成した本実施形態によれば、ＬＥＤホルダ９を溝部８ａを介して支持フレーム８に固定する固定具が、支持フレーム８の溝部８ａに装着される第１ピン１３と、この第１ピン１３に取り付けられる第２ピン１４と、この第２ピン１４に装着され、突部１５ａ１を有する取り付け部１５ａ、及び操作部１５ｂを有する固定金具１５とを備え、固定金具１５の操作部１５ｂを回動させて前述のように突部１５ａ１によってＬＥＤホルダ９に押圧することにより、ボルト及びナットを要することなく、溝部８ａを有する支持フレーム８にＬＥＤホルダ９を固定することができる。これにより本実施形態は、ランプホルダをＬＥＤホルダ９に交換する際のＬＥＤホルダ９の取り付け作業の能率を、向上させることができる。
【００２６】
また、固定金具１５の操作部１５ｂは、折り曲げ端部１５ｂ２を有することから、ＬＥＤホルダ９を支持フレーム８に取り付ける際に、あるいはＬＥＤホルダ９をさらに別のＬＥＤホルダ９に交換する際に、操作部１５ｂの折り曲げ端部１５ｂを把持して操作部１５ｂを容易に回動させることができる。これにより、ＬＥＤホルダ９の取り付け作業、あるいはＬＥＤホルダ９の交換作業の能率向上に貢献する。
【００２７】
なお、前述した実施形態にあっては、既設のエスカレータに備えられるランプホルダをＬＥＤホルダ９に交換するものであったが、新設のエスカレータの欄干装置にあって、ＬＥＤホルダ９を設置する際に本実施形態を適用可能なことはもちろんである。
【符号の説明】
【００２８】
１    ステップ
４    欄干パネル
５    ハンドレール
６    ハンドレールフレーム
８    支持フレーム
８ａ  溝部
９    ＬＥＤホルダ
９ａ  長溝
１２    ＬＥＤ照明
１３    第１ピン
１３ａ  頭部
１３ｂ  軸部
１３ｂ１  貫通穴
１４    第２ピン
１５    固定金具
１５ａ  取り付け部
１５ａ１  突部
１５ｂ  操作部
１５ｂ１  当接部
１５ｂ２  折り曲げ端部
【図１】
2015229552.tif 000003
【図２】
2015229552.tif 000004
【図３】
2015229552.tif 000005
【図４】
2015229552.tif 000006
【図５】
2015229552.tif 000007
【図６】
2015229552.tif 000008
【図７】
2015229552.tif 000009